(57)【要約】【課題】  予期せぬ事故などによりインキの終了サインを示してしまった場合に、確実にインキが供給されて最後まで筆記可能なインキ終了検知式筆記具を提供することを目的とする。【解決手段】  軸筒内のインキ吸蔵体に含浸されたインキを筆記部となるペン先に供給する筆記具であり、上記インキ吸蔵体に含浸されたインキが、視認性を有する透明または半透明の樹脂で形成された、少なくともインキと接する面にはインキはじき層を形成してなるインキ誘導管を介して、ペン先に供給されると共に、インキ吸蔵体からのインキ終了サインを軸筒に形成した視認部を介して前記インキ誘導管を視認することにより検知するインキ終了検知式筆記具において、該インキ誘導管中に、インキ吸蔵体とペン先を中継するインキ中継芯又はインキ中継管を少なくとも１本設けることにより解決した。【選択図】          図１
2006346966.tif 000002
【特許請求の範囲】
【請求項１】
軸筒内のインキ吸蔵体に含浸されたインキを筆記部となるペン先に供給する筆記具であり、上記インキ吸蔵体に含浸されたインキが、視認性を有する透明または半透明の樹脂で形成された、少なくともインキと接する面にはインキはじき層を形成してなるインキ誘導管を介して、ペン先に供給されると共に、インキ吸蔵体からのインキ終了サインを軸筒に形成した視認部を介して前記インキ誘導管を視認することにより検知するインキ終了検知式筆記具において、該インキ誘導管中に、インキ吸蔵体とペン先を中継するインキ中継芯又はインキ中継管を少なくとも１本設けることを特徴とするインキ終了検知式筆記具。
【請求項２】
インキ吸蔵体とペン先を中継するインキ中継芯が、収容されるインキ色と異なる色の被覆体によって被覆されていることを特徴とする請求項１に記載のインキ終了検知式筆記具。
【請求項３】
インキ誘導管の内壁が、インキ組成物の表面自由エネルギーよりも低く調整されたことを特徴とする請求項１及び２に記載のインキ終了検知式筆記具。
【請求項４】
インキ吸蔵体とペン先を中継するインキ中継管が、視認性を有する透明又は半透明の樹脂で形成され、内外側面にインキはじき層形成してなるインキ中継管であることを特徴とする請求項１に記載のインキ終了検知式筆記具。
【請求項５】
インキ誘導管の内壁、並びに、内部に設けられたインキ中継管の内壁面及び外壁面が、インキ組成物の表面自由エネルギーよりも低く調整されたことを特徴とする請求項１及び４に記載のインキ終了検知式筆記具。
【発明の詳細な説明】
【技術分野】
【０００１】
本発明は、軸筒内のインキ吸蔵体に含浸されたインキを筆記部となるペン先に供給する筆記具に関し、更に詳しくは、この構造においてインキの終了サインを簡単に検知することができ、かつ、不慮の事故等によりインキ誘導管内のインキが切れてしまった場合でも筆記を可能にしたインキ終了検知式筆記具に関する。
【背景技術】
【０００２】
従来、軸筒内のインキ吸蔵体に含浸されたインキを筆記部となるペン先に供給する筆記具、所謂中綿式筆記具においては、今までインキの終了サインを簡単かつ間違いなく検知することができる機構を具備した筆記具はなかったが、本出願人は、これを解決するために、新しく効果的な機構を発明して提案している。（特許文献１、２）
しかしながら、インキ吸蔵体とペン先を連結するものがインキ誘導管のみであるため、インキ吸蔵体内のインキが十分に残っているにもかかわらず、何らかの事故によりインキ誘導管内のインキが切れてしまった際には、筆記ができなくなると共に不本意なインキ終了サインがでてしまう場合がある。
【０００３】
これに対し、本出願人からインキの終了サインを検知するインキ誘導管と、中綿とペン先を結ぶ中継芯を平行に配置した実施例が提示されている。（特許文献３）この実施例であれば、前記したような何らかの事故によってインキ誘導管内のインキが切れてしまっても中継芯によってインキの誘導が行われるため、ペン自体の使用は可能である。しかし、検知部内壁、即ち検知管または中継芯を収容してある可視部の内壁に、中継芯から出るインキ溶剤の蒸気による「曇り」が起こり検知部を視認出来なかったり、インキ溶剤が有機溶媒であれば筆記具本体に使用している樹脂の部材を浸食したり、といった欠点があった。
【０００４】
更に本出願人は、インキ誘導管内の事故等によるインキ切れの可能性を低くするために、インキ誘導管内に棒状体や棒状の多孔質体を挿入し、誘導管の断面積を見かけ上小さくする実施例を提示している。（特許文献１、４）しかし、この措置はインキ切れの際に「終了」サインを見やすくさせ、かつ、インキ流量の制御に関わるものであるため、インキ切れを起こしてしまった後のペンの使用については配慮されていない。また、この目的から考えて、「棒状の多孔質体」とは連続気孔を持つ、前記の中継芯の役割を持ったものでは無いことは明らかである。
【特許文献１】特開２００４−４２２６３号、特許第３４７４８７６号
【特許文献２】特開２００５−８１６２７号
【特許文献３】特開２００４−４２２６２号、特許第３４７４８７５号
【特許文献４】特開２００４−６６４７８号
【発明の開示】
【発明が解決しようとする課題】
【０００５】
本発明は、上記特許文献に記載されているような機構について改良し、インキ誘導管内でのインキ切れの可能性が低く、かつ、インキ吸蔵体内にインキを残したままインキ切れが発生しても引き続き筆記が可能であるインキ終了検知式筆記具に関する。
【課題を解決するための手段】
【０００６】
本発明者らは、上記課題等に鑑み、これを解決しようとするものであり、インキ誘導管内に更に独立したインキ流路を設けることによって、本発明を完成するに至ったのである。
すなわち、本発明のインキ終了検知式筆記具は、次の（１）〜（５）に存する。
（１）軸筒内のインキ吸蔵体に含浸されたインキを筆記部となるペン先に供給する筆記具であり、上記インキ吸蔵体に含浸されたインキが、視認性を有する透明または半透明の樹脂で形成された、少なくともインキと接する面にはインキはじき層を形成してなるインキ誘導管を介して、ペン先に供給されると共に、インキ吸蔵体からのインキ終了サインを軸筒に形成した視認部を介して前記インキ誘導管を視認することにより検知するインキ終了検知式筆記具において、該インキ誘導管中に、インキ吸蔵体とペン先を中継するインキ中継芯又はインキ中継管を少なくとも１本設けることを特徴とするインキ終了検知式筆記具。
（２）インキ吸蔵体とペン先を中継するインキ中継芯が、収容されるインキ色と異なる色の被覆体によって被覆されていることを特徴とする（１）に記載のインキ終了検知式筆記具。
（３）インキ誘導管の内壁が、インキ組成物の表面自由エネルギーよりも低く調整されたことを特徴とする（１）及び（２）に記載のインキ終了検知式筆記具。
（４）インキ吸蔵体とペン先を中継するインキ中継管が、視認性を有する透明又は半透明の樹脂で形成され、内外側面にインキはじき層形成してなるインキ中継管であることを特徴とする（１）に記載のインキ終了検知式筆記具。
（５）インキ誘導管の内壁、並びに、内部に設けられたインキ中継管の内壁面及び外壁面が、インキ組成物の表面自由エネルギーよりも低く調整されたことを特徴とする（１）及び（４）に記載のインキ終了検知式筆記具。
【発明の効果】
【０００７】
本発明は、前記のように構成されており、万一、インキ誘導管中にインキ詰り等何らかの事故がおこって、インキ終了サインを検知することができなくなった場合においても、インキ誘導管内にある、独立した他のインキ流路によってペン芯へのインキの供給を確保することができるため、インキ終了サインを検知することができなくなった後でもインキ吸蔵体にインキが残っていれば、筆記を確実におこなうことができるので、使用者が最後までインキを使い切ることが可能になる。
また、インキ誘導管内に独立したインキ中継管を設けた場合には、流路がインキ誘導管内に独立してあるので、外側のインキ誘導管内で予期せぬ「インキ切れ」が発生してしまった場合でも、内部のインキ中継管によってインキの供給及び終了検知が可能であり、使用者が最後までインキを使用出来、終了検知も可能で、視覚的にも面白く、かつ、美的にも優れたものとなる。
【発明を実施するための最良の形態】
【０００８】
以下に、本発明を実施するための最良の実施形態を詳しく説明する。まず、本発明のインキ終了検知式筆記具の構造について図面を参照しながら説明する。図１は、本発明のインキ終了検知式筆記具の第１実施形態の要部を示す断面図であり、図２は、図１のＡ−Ａ断面図である。図３は、本発明のインキ終了検知式筆記具の第２実施形態の要部を示す断面図であり、図４は、図３のＢ−Ｂ断面図である。本実施形態ではマーキングペンを示しているが、サインペン、ホワイトボード用マーカー等にも好適に使用することができるものである。また、図示していないが、ペン先がボールを保持する構造のボールペン等の筆記具であってもなんら差し支えがない。
本実施形態の筆記具は、図１に示すように、筆記具本体となる軸筒１０、インキ吸蔵体２０、視認性を有するインキ誘導管３０、ペン先４０を備えている。軸筒１０は、例えば、熱可塑性樹脂、熱硬化性樹脂、ガラス等で形成されるものであり、内分にインキ誘導管３０によって連結された筆記具用インキを含浸したインキ吸蔵体２０を収容する構造となっている。
【０００９】
また、軸筒１０内に収容した視認性を有するインキ誘導管３０の位置に相当する部分の、軸筒１０の一部または全部を軸筒内のインキ誘導管３０を視認できるように透明体または半透明体から構成された視認部１２とする。
なお、軸筒１０全体を視認性を有する透明または半透明材料から構成して、軸筒１０全体を軸筒内部を視認できるようにしてもよく、また、軸筒１０全体を視認性を有する透明または半透明材料から構成して、視認部１２以外を着色部や装飾部として非視認部としてもよいものである。
【００１０】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる繊維束、フェルト等の繊維束を加工したもの、また、スポンジ、樹脂粒子の焼結体等の多孔体を含むものである。
【００１１】
インキ誘導管３０は、図１に示すように、インキ流通部材となるものであり、可視光線を３０％以上、望ましくは６０％以上、更に望ましくは８０％以上透過する部材を使用する。可視光線を３０％透過する部材を使用した場合は、向こう側が薄く見える状態で、使用には差し支えないが、よく見えるようにするには、６０％以上透過する部材が望ましく、８０％以上であれば完璧である。具体的な材料としては、ＰＰ、ＰＥ、ＰＥＴ、ＰＥＮ、ナイロン（６ナイロン、１２ナイロン等一般的なもの以外に非晶質ナイロン等を含む）、ポリメチルペンテン、ポリスチレン、ＡＢＳ等を挙げることができる。
【００１２】
また、上記部材の酸素透過係数が３０００ｃｃ・２５μｍ／ｍ２・２４ｈｒ・ａｔｍ（２５℃６５％ＲＨ）以下であることが望ましい。インキ誘導管内に核になる気泡がある場合に、この数値を超えるとインキ誘導管を通しインキが揮発しやすいため、インキの減量とともに気泡が成長しやすくなり、インキの終了前にインキ誘導管内のインキが切れてしまい、正確なインキ終了検知ができなくなるおそれがある。
【００１３】
更に、インキ吸蔵体２０からインキ誘導管内の終点検知の表示をスムーズに行うために、上記部材の少なくともインキと接触する壁面にインキの表面自由エネルギーよりも低下させる表面処理を施してもよい。具体的には、フッ素コートやフッ素樹脂コート、またはジメチルシリコーンを骨格とするシリコーン樹脂コート処理等が挙げられる。
【００１４】
インキ誘導管の内壁面とインキとの接触角が３０°以上あることも望ましい。３０°未満では、インキ誘導管内のインキ流路中のインキが上手く切れない可能性がある。
【００１５】
この構成により、軸筒１０の視認部１２を視認すれば、視認部１２を介してインキ誘導管３０が容易に視認され、筆記具の向こう側（筆記面）をも見ることができるようになる。
【００１６】
インキ誘導管３０の内部には、インキ吸蔵体２０とペン芯４０を中継するインキ中継芯５０を設ける。インキ中継芯５０は、インキ吸蔵体２０に含浸されたインキよりも表面張力が小さい繊維束又は樹脂粒子多孔体、例えば、四フッ化ポリエチレンなどの繊維束又は樹脂粒子多孔体、又はフッ化ビニリデンなどの繊維束又は樹脂粒子多孔体で構成され、インキ吸蔵体２０収容されるインキ色と異なる色の被覆体５１によって被覆されている。被覆体５１は、ＰＰ、ＰＥ、ＰＥＴ、ＰＥＮ、ナイロン（６ナイロン、１２ナイロン等一般的なみの以外に非晶質ナイロン等を含む）、ポリメチルペンテン、ポリスチレン、ＡＢＳ等からなり、インキ誘導管３０の内壁と同様にインキ組成物の表面自由エネルギーよりも低く調整されている。  
【００１７】
ペン先４０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態、例えば、マーキングペン、サインペン等に応じて各形状のものが選択されるものである。
【００１８】
図３は、本発明の第２実施例の要部を示す断面図であり、インキ誘導管３０の内部にインキ中継芯５０に替えてインキ中継管６０を設けたもので、インキ中継管６０は、インキ誘導管３０と同様に、インキ流通部材となるものであり、具体的な材料としては、ＰＰ、ＰＥ、ＰＥＴ、ＰＥＮ、ナイロン（６ナイロン、１２ナイロン等一般的なもの以外に非晶質ナイロン等を含む）、ポリメチルペンテン、ポリスチレン、ＡＢＳ等を挙げることができ、その物性もインキ誘導管３０と同様であることが望ましい。また、インキ中継管６０の内壁、外壁共にインキ誘導管３０の内壁と同様にインキ組成物の表面自由エネルギーよりも低く調整されている。
【００１９】
本発明は、以上のごとく構成されているが、以上の実施形態に限られるものでもなく、インキ誘導管３０の内部に設けるインキ中継芯５０又はインキ中継管６０は１本以上でも良く、又、インキ中継芯５０とインキ中継管６０とを組み合わせても良い。
【００２０】
インキ吸蔵体２０内のインキが十分に残っているにもかかわらず、インキ誘導管３０内のインキが切れてしまう事故の原因としては、インキ誘導管３０内のインキ中に製造又は輸送中に気泡が混入し、気泡が成長することによってインキ誘導管３０内のインキが切れてしまい、筆記不能になることが考えられるが、本発明のようにインキ誘導管３０の内部にインキ中継芯５０又はインキ中継管６０を少なくとも１本設けることによって、インキ誘導管３０内のインキが切れてしまっても、インキ中継芯５０又はインキ中継管６０によってインキ吸蔵体２０からペン先４０にインキが供給されるので、引き続き筆記が可能であり、インキ中継管６０を設けた場合は、インキ終了検知機能も引き続き有効である。
【図面の簡単な説明】
【００２１】
【図１】本発明のインキ終了検知式筆記具の第１実施形態の要部を示す断面図である。
【図２】図１のＡ−Ａ断面図である。
【図３】本発明のインキ終了検知式筆記具の第２実施形態の要部を示す断面図である。
【図４】図３のＢ−Ｂ断面図である。
【符号の説明】
【００２２】
１０    軸筒
１２    視認部
２０    インキ吸蔵体
３０    インキ誘導管
４０    ペン先
５０    インキ中継芯
５１    被覆体
６０    インキ中継管
【図１】
2006346966.tif 000003
【図２】
2006346966.tif 000004
【図３】
2006346966.tif 000005
【図４】
2006346966.tif 000006